(57)【特許請求の範囲】
【請求項１】
送信器から受信器へマルチキャリア信号を伝送するシステムであって、前記受信器は、妨害吸収回路を有し、前記妨害吸収回路は、マルチキャリア信号を受信する回路入力と、マルチキャリア信号に含まれている妨害成分を検出するために前記回路入力に接続された妨害検出手段と、マルチキャリア信号から妨害成分を実質的に除去するために前記回路入力に接続された妨害除去手段を有し、前記妨害検出手段の出力は前記妨害除去手段の入力に接続され、前記妨害検出手段は、マルチキャリア信号内の妨害成分の存在を示す妨害存在信号を、出力に発生し且つ供給するように配置され、前記妨害除去手段は、前記入力で受信された妨害存在信号に依存して、マルチキャリア信号から妨害成分を実質的に除去するように配置され、前記妨害検出手段は、妨害存在信号を発生するタイミング手段、マルチキャリア信号内の妨害成分を検出するためにタイミング手段に接続された妨害検出器を有し、前記タイミング手段は複数のトリガ可能なパルスタイマを有し、前記妨害検出器は、前記タイミング手段に、幾つかのトリガパルスを発生し且つ供給するように配置され、トリガパルスの数は妨害成分の継続時間に依存することを特徴とする伝送システム。
【請求項２】
前記妨害吸収回路は妨害成分の繰り返しレートが高すぎるときには、前記妨害検出手段及び/又は前記妨害除去手段を一時的にディスエーブルするための感度抑圧器を有することを特徴とする請求項１に記載の伝送システム。
【請求項３】
前記妨害検出器はマルチキャリア信号内の妨害成分を検出するための振幅検出器を有することを特徴とする請求項１に記載の伝送システム。
【請求項４】
前記振幅検出器はアナログ／ディジタル変換器を有することを特徴とする請求項３に記載の伝送システム。
【請求項５】
前記振幅検出器は電圧しきい値を超えるマルチキャリア信号内の妨害成分を検出するための電圧比較器を有することを特徴とする請求項３に記載の伝送システム。
【請求項６】
前記妨害除去手段は、時間期間にマルチキャリア信号をゼロに設定することにより、または時間期間に望ましいマルチキャリア信号を一定のレベルに保つことにより、マルチキャリア信号からの妨害成分を実質的に除去することを特徴とする請求項１に記載の伝送システム。
【請求項７】
集積回路中に、前記複数のトリガ可能なパルスタイマが含まれることを特徴とする請求項１に記載の伝送システム。
【請求項８】
前記妨害吸収回路はマルチキャリア信号を遅延させるための遅延手段をさらに有し、前記妨害除去手段は遅延手段を介して回路入力に接続され、前記遅延手段により起こされる遅延は、前記妨害検出手段により起こされる遅延と実質的に等しいことを特徴とする請求項１に記載の伝送システム。
【請求項９】
送信器からのマルチキャリア信号を受信する受信器であって、当該受信器は、妨害吸収回路を有し、前記妨害吸収回路は、マルチキャリア信号を受信する回路入力と、マルチキャリア信号に含まれている妨害成分を検出するために前記回路入力に接続された妨害検出手段と、マルチキャリア信号から妨害成分を実質的に除去するために前記回路入力に接続された妨害除去手段を有し、前記妨害検出手段の出力は前記妨害除去手段の入力に接続され、前記妨害検出手段は、マルチキャリア信号内の妨害成分の存在を示す妨害存在信号を、出力に発生し且つ供給するように配置され、前記妨害除去手段は、前記入力で受信された妨害存在信号に依存して、マルチキャリア信号から妨害成分を実質的に除去するように配置され、前記妨害検出手段は、妨害存在信号を発生するタイミング手段、マルチキャリア信号内の妨害成分を検出するためにタイミング手段に接続された妨害検出器を有し、前記タイミング手段は複数のトリガ可能なパルスタイマを有し、前記妨害検出器は、前記タイミング手段に、幾つかのトリガパルスを発生し且つ供給するように配置され、トリガパルスの数は妨害成分の継続時間に依存することを特徴とする受信器。
【請求項１０】
妨害吸収回路であって、マルチキャリア信号を受信する回路入力と、マルチキャリア信号に含まれている妨害成分を検出するために前記回路入力に接続された妨害検出手段と、マルチキャリア信号から妨害成分を実質的に除去するために前記回路入力に接続された妨害除去手段を有し、前記妨害検出手段の出力は前記妨害除去手段の入力に接続され、前記妨害検出手段は、マルチキャリア信号内の妨害成分の存在を示す妨害存在信号を、出力に発生し且つ供給するように配置され、前記妨害除去手段は、前記入力で受信された妨害存在信号に依存して、マルチキャリア信号から妨害成分を実質的に除去するように配置され、前記妨害検出手段は、妨害存在信号を発生するタイミング手段、マルチキャリア信号内の妨害成分を検出するためにタイミング手段に接続された妨害検出器を有し、前記タイミング手段は複数のトリガ可能なパルスタイマを有し、前記妨害検出器は、前記タイミング手段に、幾つかのトリガパルスを発生し且つ供給するように配置され、トリガパルスの数は妨害成分の継続時間に依存する妨害吸収回路。
【請求項１１】
マルチキャリア信号内に含まれる妨害信号を検出し且つ、妨害吸収回路によってマルチキャリア信号から妨害成分を実質的に除去する方法であって、前記妨害吸収回路は、マルチキャリア信号を受信する回路入力と、前記検出のための前記回路入力に接続された妨害検出手段と、前記実質的に除去するための前記回路入力に接続された妨害除去手段を有し、前記妨害検出手段の出力は前記妨害除去手段の入力に接続され、
当該方法は、
前記妨害検出手段の妨害検出器によって、マルチキャリア信号内の妨害成分を検出するステップと、
前記妨害検出手段のタイミング手段に接続された前記妨害検出器によって、前記タイミング手段に、幾つかのトリガパルスを発生し且つ供給するステップであって、トリガパルスの数は妨害成分の継続時間に依存するところのステップと、
前記タイミング手段によって、マルチキャリア信号内の妨害成分の存在を示す妨害存在信号を発生するステップであって、前記タイミング手段は複数のトリガ可能なパルスタイマを有するところのステップと、
前記妨害検出手段によって、前記妨害存在信号を出力に供給するステップと、
前記妨害除去手段によって、前記入力で受信された妨害存在信号に依存して、マルチキャリア信号から妨害成分を実質的に除去するステップと、
を有する方法。
【発明の詳細な説明】
【０００１】
本発明は、送信器から受信器へマルチキャリア信号を伝送する伝送システムに関する。
【０００２】
本発明は、更に、送信器からのマルチキャリア信号を受信する受信器、マルチキャリア信号内に含まれる妨害信号検出し且つマルチキャリア信号から妨害成分を実質的に除去する妨害吸収回路及び、マルチキャリア信号内に含まれる妨害信号検出し且つマルチキャリア信号から妨害成分を実質的に除去する方法に関する。
【０００３】
前文の伝送システムは、”ディジタルビデオ放送（ＤＶＢ）；ディジタ地上放送に関するフレーム構造、チャネル符号化及び変調”と題するＥＴＳＩ標準ＥＮ３００７４４Ｖ１．１．２により知られている。直交周波数領域多重（ＯＦＤＭ）のようなマルチキャリア伝送システムは、比較的高いレートでデータ伝送を可能とする。マルチキャリア変調（ＭＣＭ）又は、離散マルチトーン変調（ＤＭＴ）としても知られるＯＦＤＭは、１つの高ビットレートキャリアによってよりも、並列して幾つかの低ビットレートキャリアを変調することによりデータが伝送される技術である。ＯＦＤＭはスペクトラム的に効率がよく、そして、例えば、（ディジタルオーディオ放送システムのような）高性能ディジタル無線リンクに対して効率的であることが示されている。ＯＦＤＭは例えば、ＡＤＳＬ−又は、ＨＤＳＬ−システムのようなディジタル加入者線システム及び、上述の文書に記載されているようなＤＶＢ−Ｔディジタル地上テレビジョン放送システム内でも使用されている。
【０００４】
そのような伝送システムは、伝送システムに入り込みそして、望ましいマルチキャリア信号に妨害を与える、寄生の信号成分又は妨害成分に弱い。例えば、ＤＶＢ−Ｔ伝送システムの場合には、例えばインパルス性ノイズ又は、入来ノイズ成分のような妨害成分は、テレビジョン映像とオーディオの全体的な又は部分的な崩壊を導く。
【０００５】
本発明の目的は、妨害成分に比較的鈍感な、送信器から受信器へマルチキャリア信号を伝送するための伝送システムを提供することである。この目的は、本発明に従った伝送システムであって、受信器は、マルチキャリア信号内に含まれる妨害成分を検出するための且つマルチキャリア信号から妨害成分を実質的に除去するための妨害吸収回路を有することを特徴とする伝送システムによって達成される。既知の伝送システムでは、マルチキャリア信号内に含まれる妨害成分を検出し且つ除去する準備が無かった。このような妨害吸収回路により、望ましくない妨害成分は検出され、望ましいマルチキャリア信号から除去される。
【０００６】
本発明に従った伝送システムの実施例は、妨害吸収回路は、マルチキャリア信号を受信する回路入力と、マルチキャリア信号に含まれている妨害成分を検出するためにその回路入力に接続された妨害検出手段と、マルチキャリア信号から妨害成分を実質的に除去するためにその回路入力に接続された妨害除去手段を有し、妨害検出手段の出力は妨害除去手段の入力に接続されていることを特徴とする。妨害吸収回路の主な機能即ち、妨害成分の検出と除去は、妨害検出手段と妨害除去手段により効率的に行われる。妨害検出手段と妨害除去手段は、互いに接続され、それにより、妨害除去手段は妨害検出手段により検出された妨害成分を除去できる。
【０００７】
本発明に従った伝送システムの実施例は、妨害検出手段は、マルチキャリア信号内の妨害成分の存在を示す妨害存在信号を、出力に発生し且つ供給するように配置され、妨害除去手段は、その入力で受信された妨害存在信号に依存して、マルチキャリア信号から妨害成分を実質的に除去するように配置されることを特徴とする。マルチキャリア信号内の妨害成分の存在を示す妨害存在信号により、妨害検出手段と妨害除去手段の間の効率的な結合が達成される。
【０００８】
本発明に従った伝送システムの実施例は、妨害検出手段は、妨害成分の継続時間に依存して妨害存在信号を発生するように配置されることを特徴とする。この方法により、妨害存在信号は、個々の妨害成分の継続時間に関連する情報を有するので、妨害除去手段は、信号から妨害成分を正確に除去できる。
【０００９】
本発明に従った伝送システムの実施例は、妨害検出手段は、妨害存在信号を発生するタイミング手段を有することを特徴とする。この方法により、妨害存在信号は、効率的に且つコスト効率よく発生される。
【００１０】
本発明に従った伝送システムの実施例は、妨害検出手段は、更に、マルチキャリア信号内の妨害成分を検出するタためにイミング手段に接続された妨害検出器を有し、タイミング手段は複数のトリガ可能なパルスタイマを有し、妨害検出器は、タイミング手段に、幾つかのトリガパルスを発生し且つ供給するように配置され、トリガパルスの数は妨害成分の継続時間に依存することを特徴とする。これらの方法により、単純で、コスト効率の良い、妨害検出手段の実行が得られる。そのような妨害検出器の単純な実行は、振幅検出又は傾斜検出に基づいている。複数のトリガ可能なパルスタイマを個々の妨害成分の継続時間に依存する回数だけトリガすることにより、妨害存在信号は個々の妨害成分の継続時間に関連する情報を含む。更に、複数のトリガ可能なパルスタイマーは、単純で且つ安価であり、そして、標準的な電子部品として利用できる。
【００１１】
本発明に従った伝送システムの実施例は、妨害吸収回路は妨害成分の繰り返しレートが高すぎるときには、妨害検出手段及び/又は妨害除去手段を一時的にディスエーブルするための感度抑圧器を有することを特徴とする。このように、複数のトリガをノイズの多い状態で防ぐことができる。これらの状態下で、マルチキャリア信号の比較的大きな部分は、妨害除去手段により除去され、比較的少ないマルチキャリア信号内容が残り、これは、受信器内のＡＧＣにマルチキャリア信号の増幅度の増加を起こし、代わりに、更なる妨害成分が検出されそして、更に多くのマルチキャリア信号の部分が除去される。
【００１２】
本発明に従った伝送システムの実施例は、妨害検出器はマルチキャリア信号内の妨害成分を検出するための振幅検出器を有することを特徴とする。振幅検出器は、妨害検出器の単純で且つ効率的な実行であることが分かった。
【００１３】
本発明に従った伝送システムの実施例は、振幅検出器はアナログ／ディジタル変換器を有することを特徴とする。例えば、タイミング手段と妨害除去手段のような妨害吸収回路の部分は、ディジタル領域で即ち、ディジタルハードウェア又は、ディジタル信号プロセッサ上のプログラムで効率的に実行される。そのようなディジタル実行では、アナログ／ディジタル変換器のオーバーフロー信号を、タイミング信号をトリガするのに使用することが可能である。
【００１４】
本発明に従った伝送システムの実施例は、妨害吸収回路はマルチキャリア信号を遅延させるための遅延手段をさらに有し、妨害除去手段は遅延手段を介して回路入力に接続され、遅延手段により起こされる遅延は、妨害検出手段により起こされる遅延と実質的に等しいことを特徴とする。この方法により、妨害検出手段により起こされた遅延は、補償され、それにより、妨害存在信号は、マルチキャリア信号と同相である。そうでなければ、即ち、妨害の存在がマルチキャリア信号と位相がずれている場合には、妨害成分の除去は正確に行われないであろう。
【００１５】
本発明の上述の目的と特徴は、図面を参照して、以下の説明から更に明らかとなろう。
【００１６】
図において、同一の構成要素は同じ参照番号が付されている。
【００１７】
図１は、本発明に従った伝送システムの実施例のブロック図を示す。そのような伝送システムでは、マルチキャリア信号１１は、送信器１０により受信器１２へ伝送される。伝送システムは、更なる送信器１０と受信器１２を有する。送信器１０と受信器１２は特定のアプリケーション領域に従って、多くの異なる形式がある。例えば、コンピュータシステム間の高速短距離無線リンクを支持する無線非同期転送モード（ＷＡＴＭ）では、２方向無線通信リンクがコンピュータとプリンタ間で確立される。このために、コンピュータとプリンタは、両方とも送信器１０と受信器１２を装備する。代わりに、例えば、ディジタルオーディオ放送（ＤＡＢ）−システムのような、無線放送システムでは、送信器１０は、無線放送局の一部であり、一方受信器１２は、車載ラジオに含まれている。ＤＶＢ−Ｔディジタル地上テレビジョンシステムでは、送信器１０は、テレビジョン放送局の一部であり、一方受信器１２は、テレビジョン受信機又はセットトップボックスである。
【００１８】
受信器１２は、マルチキャリア信号１１内に含まれている妨害成分を検出し且つマルチキャリア信号１１から妨害成分を、時間期間中に実質的に除去する、妨害吸収回路（図示していない）を有する。
【００１９】
図２Ａと２Ｂは、本発明に従った妨害吸収回路の動作を示す波形を示す。図２Ａでは、妨害信号が重ねられた望ましいマルチキャリア信号（インパルスノイズ成分）を示す。このマルチキャリア信号は、妨害信号を検出し且つ、例えば、時間期間Δｔの間にマルチキャリア信号をゼロ（ミュート）に設定することにより又は、時間期間Δｔの間にマルチキャリア信号を一定のレベル（サンプル及びホールド）に保つことにより、望ましいマルチキャリア信号からそれを除去する妨害検出回路に入力される。図２Ｂは、マルチキャリア信号を部分的にミュートする結果を示す。妨害吸収回路は、個々の妨害成分の継続時間に依存して、時間期間Δｔを適応させるために配置されている。この時間期間Δｔは、妨害成分のほぼ完全な除去を達成するために、実質的には、個々の妨害成分の継続時間と等しいことが好ましい。
【００２０】
図３は、本発明に従った妨害吸収回路２０の実施例のブロック図を示す。妨害吸収回路２０は、マルチキャリア信号１１を受信する回路入力２２、マルチキャリア信号１１内に含まれる妨害成分を検出するために回路入力２２に接続された妨害検出手段２６、マルチキャリア信号１１から妨害成分を実質的に除去するために遅延手段２４を介して回路入力２２に接続された妨害除去手段２８及び、”きれいにされた”マルチキャリア信号を供給する回路出力３０を有する。妨害検出手段２６の出力は、妨害除去手段２８の入力に接続されている。妨害検出手段２６は、マルチキャリア信号１１内に妨害成分の存在を示す妨害存在信号２７を発生する。この妨害存在信号２７は、妨害検出手段２６により妨害除去手段２８へ供給される。妨害除去手段２８は、マルチキャリア信号１１から妨害成分を実質的に除去するのに妨害存在信号２７を使用する。
【００２１】
遅延手段２４は、妨害検出手段２６により発生された遅延を補償するために、マルチキャリア信号１１を遅延するために、妨害吸収回路２０で使用される。妨害検出手段２６が大きな遅延を起こさない場合には、遅延手段２４は省略され得る。
【００２２】
図４は、本発明に従った受信器のブロック図を示す。示された受信器は、ＤＶＢ−Ｔ受信器である。この受信器は、帯域通過フィルタ４２に接続されたアンテナ４０を介してＲＦ−信号を受信する。この帯域通過フィルタ４２は、望ましいＲＦ−選択性を提供する。帯域通過フィルタ４２の出力は、ＡＧＣ４４を介してミキサ４６に接続されている。ミキサ４６は、発振器４８にも接続され、そして、ＡＧＣ４４の出力信号の周波数ダウンコンバージョンを行うために、発振信号を使用する。次にミキサ４６の出力信号は、更なる帯域通過フィルタ５０を介して、更なるＡＧＣ５２に供給される。このＡＧＣ５２は、更に他の帯域通過フィルタ５４に接続されている。帯域通過フィルタ５０と５４は、ＳＡＷフィルタであることが好ましい。帯域通過フィルタ５４の出力は、ＡＧＣ５６を介してミキサ５８に接続されている。ミキサ５８は、発振器６０にも接続され、そして、ＡＧＣ５６の出力信号の周波数ダウンコンバージョンを行うために、発振信号を使用する。
【００２３】
ミキサ５８の出力マルチキャリア信号１１は、妨害吸収回路２０に入力される。妨害吸収回路２０は、既に示された部品に加えて且つ図３に関連して、回路入力２２と遅延手段２４の間に接続された低域通過アンチエイリアシングフィルタ６２を有する。妨害検出手段２６は、マルチキャリア信号１１内の妨害成分を検出するための妨害検出器６６と、それに接続された妨害存在信号２７を発生するためのタイミング手段６８を有する。妨害検出器６６は、幾つかのトリガパルスを発生し、トリガパルスの数は、妨害成分の継続時間に依存する。トリガパルスは、妨害検出器６６により、タイミング手段６８に供給される。タイミング手段６８は、妨害検出器６６から受信されたトリガパルスの数に依存して妨害存在信号２７を発生する複数のトリガ可能なタイマを有する。
【００２４】
妨害吸収回路２０の出力３０は、ＡＤ−変換器とＣＯＦＤＭ−復調器を有する受信器のバックエンド部分に接続されている。ＡＤ−変換器は、妨害吸収回路２０の”きれいにされた”アナログ出力３０を、ＣＯＦＤＭ−復調器により復調されるディジタル信号へ変換する。
【００２５】
図５は、図４に示す受信器内で使用するための、本発明に従った妨害吸収回路２０の実施例の電気的な図を示す。妨害検出器６６は、２つの電圧比較器ＡとＢ（例えば、集積回路ＮＥ５２２内で設けられる）を有する振幅検出器である。電圧比較器Ａは、正の電圧しきい値を超えるマルチキャリア信号１１内に含まれる妨害成分を検出する。この正のしきい値は、電圧比較器Ａの入力２に接続された調整可能な電圧分割器により設定される。電圧比較器Ｂは、負の電圧しきい値を超えるマルチキャリア信号１１内に含まれる妨害成分を検出する。この負のしきい値は、電圧比較器Ｂの入力１２に接続された調整可能な電圧分割器により設定される。代わりに、振幅検出器は、整流器と、正の電圧しきい値を超える妨害成分を検出する単一の電圧比較器を有しても良い。
【００２６】
回路入力２２を介して妨害吸収回路２０に入力する、マルチキャリア信号１１は、キャパシタＣ１６を介して電圧比較器ＡとＢに入力される。このキャパシタＣ１６は、マルチキャリア信号１１内に含まれているＤＣ成分を阻止する。
【００２７】
タイミング手段６８は、（フィリップス社の７４ＨＣＴ１２３集積回路のような）２つのマルチプルトリガ可能なパルスタイマＩＣ１ＡとＩＣ１Ｂを有する。ＩＣ１Ａの入力は、電圧比較器Ａの出力に接続され、そして、ＩＣ１Ｂの入力は、電圧比較器Ｂの出力に接続されている。正のしきい値電圧を超える妨害成分が、電圧比較器Ａにより検出されたときには、タイマＩＣ１Ａは、例えば、５００ｎｓの期間トリガされる。負のしきい値電圧を超える妨害成分が、電圧比較器Ｂにより検出されたときには、タイマＩＣ１Ｂは、例えば、５００ｎｓの期間トリガされる。ＩＣ１Ａの出力４とＩＣ１Ｂの出力１２は、ダイオードＤ２とＤ３を介して互いに接続されている。これらのダイオードＤ２とＤ３は、ＡＮＤ−ゲートを構成し、それにより、タイマＩＣ１Ａ及び／又はＩＣ１Ｂがトリガされている間に妨害存在信号２７が低電圧を有するように、ＩＣ１ＡとＩＣ１Ｂの出力信号は、妨害存在信号２７内で結合される。
【００２８】
妨害除去手段２８は、最初に低域通過アンチエイリアシングフィルタ６２と遅延手段２４に入力された、マルチキャリア信号１１をミュートする（フィリップス７４ＨＣＴ４０５３内に含まれているような）アナログスイッチＩＣ２を有する。通常は、入力ＺでアナログスイッチＩＣ２に供給されたマルチキャリア信号１１は、出力Ｚ１を介して回路出力３０へアナログスイッチＩＣ２を通過する。妨害存在信号２７が低電圧を有するときには（即ち、タイマＩＣ１Ａ及び／又はＩＣ１Ｂが妨害検出器６６によりトリガされている間に）、マルチキャリア信号１１は出力Ｚ０へ送られる。これは、回路出力３０で、マルチキャリア信号を効果的にミュートする。代わりに、ミューティングの代わりに、マルチキャリア信号１１はサンプルされそして、妨害成分を除去するために、サンプルホールド回路又は部品により、一定レベルに保持されてもよい。
【００２９】
妨害吸収回路２０は、妨害成分の繰返しレートが高すぎるときに、妨害検出手段２６を一時的にディスエーブルする感度抑圧器６７を有する。感度抑圧器６７は、（フィリップス７４ＨＣＴ１２３に含まれているような）マルチプルトリガ可能なパルスタイマＩＣ６Ａを有する。妨害存在信号２７は、このタイマＩＣ６Ａの入力Ａに供給される。妨害存在信号２７が低電圧を有する場合には、タイマＩＣ６Ａはトリガされ、そして、タイマＩＣ６Ａの出力Ｑ｜での信号が、キャパシタＣ２３、抵抗Ｒ４及び、可変抵抗ＡＤＪ５の組み合わせで定義される時間の期間の間、低電圧を有する。タイマＩＣ６Ａの出力Ｑ｜は、（抵抗Ｒ１１とキャパシタＣ１７で構成される）ＲＣ−低域通過フィルタを介してタイマＩＣ１ＡとＩＣ１Ｂに接続される。Ｑ｜での信号出力は、ＲＣ−フィルタにより平滑化され、それによって、妨害存在信号２７の繰返しレートが増加するときに、出力は減少する。（ＡＤＪ５により調整された）あるしきい値を超えたときに、妨害検出手段２６のタイマＩＣ１ＡとＩＣ１Ｂは、ディスエーブルされトリガリングを停止する。これは、妨害吸収回路２０が過度のノイズを受けた後に、動作不能とされないことを保証する。代わりに、感度抑圧器６７は、そのような極端な条件下で、妨害吸収回路２０の正しい動作を保証するために、妨害除去手段をディスエーブルすること（も）可能である。
【００３０】
図６Ａから６Ｅは、図５に示す妨害吸収回路の動作を示す波形を示す。図６Ａは、妨害検出器６６の動作を示す。電圧比較器Ａの正のしきい値と電圧比較器Ｂの負のしきい値は、それぞれ、ｙ＝＋０．４とｙ＝−０．４の水平ラインとして示されている。電圧比較器Ａは、正のしきい値電圧を超えるマルチキャリア信号１１内の妨害成分を検出する。そのような妨害成分が電圧比較器Ａにより検出されたときには、タイマＩＣ１Ａは例えば、５００ｎｓの期間トリガされる。図６Ａは、電圧比較器Ａが、
【００３１】
【外１】
0004494700.tif 000002
の妨害成分を検出したことを示す。この結果、タイマＩＣ１Ａは、トリガされ、そして、タイマＩＣ１Ａの出力４での信号は、５００ｎｓの間、低電圧を有する（タイマＩＣ１Ａの出力４での信号を示す図６Ｂを参照）。電圧比較器Ｂは、負のしきい値電圧を超えるマルチキャリア信号１１内の妨害成分を検出する。そのような妨害成分が電圧比較器Ｂにより検出されたときには、タイマＩＣ１Ｂは例えば、５００ｎｓの期間トリガされる。図６Ａは、電圧比較器Ｂが、
【００３２】
【外２】
0004494700.tif 000003
の妨害成分を検出したことを示す。この結果、タイマＩＣ１Ｂは、トリガされ、そして、タイマＩＣ１Ｂの出力１２での信号は、５００ｎｓの間、低電圧を有する（タイマＩＣ１Ｂの出力１２での信号を示す図６Ｃを参照）。図６Ｂと６Ｃに示されているように、タイマＩＣ１ＡとＩＣ１Ｂの出力信号は、それぞれ、妨害存在信号２７（図６Ｄ参照）内でＡＮＤ−ゲート（ダイオードＤ２とＤ３）により結合される。図６Ｅは、低域通過アンチエイリアシングフィルタ６２と遅延手段２４によりフィルタされ且つ遅延されたマルチキャリア信号１１であるマルチキャリア信号１１’及び、妨害存在信号２７を示す。アナログスイッチＩＣ２の動作により、マルチキャリア信号１１’は
【００３３】
【外３】
0004494700.tif 000004
から
【００３４】
【外４】
0004494700.tif 000005
までミュートされる。
【００３５】
本発明に従った範囲は示された実施例に制限されない。本発明に従った各々の新たな特徴と特徴の各々の組合せで実現される。どのような参照記号も請求項の範囲を制限しない。用語“有する”は、請求項に記載された以外の構成要素又はステップの存在を除外しない。構成要素の前の”ａ”と”ａｎ”は、複数のそのような構成要素の存在を除外しない。
【図面の簡単な説明】
【図１】  本発明に従った伝送システムの実施例のブロック図である。
【図２Ａ】  本発明に従った妨害吸収回路の動作を示す波形を示す図である。
【図２Ｂ】  本発明に従った妨害吸収回路の動作を示す波形を示す図である。
【図３】  本発明に従った妨害吸収回路の実施例のブロック図である。
【図４】  本発明に従った受信器のブロック図である。
【図５】  本発明に従った妨害吸収回路の実施例の電気的な図である。
【図６Ａ】  図５に示す妨害吸収回路の動作を示す波形を示す図である。
【図６Ｂ】  図５に示す妨害吸収回路の動作を示す波形を示す図である。
【図６Ｃ】  図５に示す妨害吸収回路の動作を示す波形を示す図である。
【図６Ｄ】  図５に示す妨害吸収回路の動作を示す波形を示す図である。
【図６Ｅ】  図５に示す妨害吸収回路の動作を示す波形を示す図である。
【図１】
0004494700.tif 000006
【図２Ａ】
0004494700.tif 000007
【図２Ｂ】
0004494700.tif 000008
【図３】
0004494700.tif 000009
【図４】
0004494700.tif 000010
【図５】
0004494700.tif 000011
【図６Ａ】
0004494700.tif 000012
【図６Ｂ】
0004494700.tif 000013
【図６Ｃ】
0004494700.tif 000014
【図６Ｄ】
0004494700.tif 000015
【図６Ｅ】
0004494700.tif 000016